【手続補正書】
【提出日】平成20年8月28日(2008.8.28)
【手続補正１】
【補正対象書類名】特許請求の範囲
【補正対象項目名】全文
【補正方法】変更
【補正の内容】
【特許請求の範囲】
【請求項１】
複数の動画像を一覧表示する画像表示方法であって、
各動画像に含まれる複数のフレーム画像の各々の注目領域を抽出し、抽出された各フレームの注目領域の論理和を、該動画像の注目領域として決定する注目領域決定工程と、
前記注目領域決定工程により決定された各動画像の注目領域が露出して他の動画像と重なるように、該複数の動画像の各々の表示位置を決定する位置決定工程と、
前記位置決定工程で決定された表示位置に前記複数の動画像の各々を配置して一覧表示する表示制御工程と、を備えることを特徴とする画像表示方法。
【請求項２】
前記注目領域決定工程では、各フレーム画像から顔領域を検知して注目領域を抽出することを特徴とする請求項１に記載の画像表示方法。
【請求項３】
前記注目領域決定工程では、前記動画像に含まれる全てのフレーム画像から注目領域を抽出することを特徴とする請求項１に記載の画像表示方法。
【請求項４】
前記位置決定工程では、前記注目領域決定工程により決定された注目領域が大きい動画像ほど重なりが上位になるように、前記複数の動画像の表示位置を決定することを特徴とする請求項１に記載の画像表示方法。
【請求項５】
動画像のフレームレートに基づいて、前記注目領域決定工程において注目領域を抽出すべきフレームの間隔を選択する選択工程を更に備えることを特徴とする請求項１に記載の画像表示方法。
【請求項６】
前記表示制御工程によって一覧表示された前記複数の動画像について、再生に伴う注目領域の経時変化を監視し、各動画像の注目領域が他の動画像と重なるようなったか否かを判定する判定工程と、
前記判定工程で注目領域が他の動画像と重なると判定された動画像が存在する場合に、該注目領域の全体を露出させるべく前記一覧表示における動画像の配置状態を更新する更新工程と、を更に備えることを特徴とする請求項１に記載の画像表示方法。
【請求項７】
前記判定工程では、前記動画像の注目領域のうち他の動画像と重なる領域が所定の大きさを超えた場合に、注目領域が他の動画像の重なると判定することを特徴とする請求項６に記載の画像表示方法。
【請求項８】
前記更新工程では、前記動画像の注目領域に重なった他の動画像の配置を移動することを特徴とする請求項６に記載の画像表示方法。
【請求項９】
複数の動画像を一覧表示する画像表示方法であって、
前記複数の動画像の各々が他の動画像の一部と重なった状態で一覧表示する表示制御工程と、
各動画像中の再生されるフレーム画像より注目領域を抽出する抽出工程と、
前記抽出工程で抽出された注目領域が他の動画像に重なるか否かを判定する判定工程と、
前記判定工程で注目領域が他の動画像に重なると判定された場合、該注目領域が露出するように前記一覧表示の状態を更新する更新工程と、を備えることを特徴とする画像表示方法。
【請求項１０】
前記更新工程では、前記判定工程で注目領域が他の動画像と重なると判定された場合、該注目領域が抽出された動画像が最前面になるように重なり配置を更新することを特徴とする請求項９に記載の画像表示方法。
【請求項１１】
前記更新工程では、前記判定工程で注目領域が他の動画像と重なると判定された場合、該注目領域が抽出された動画像の表示サイズを小さくすることを特徴とする請求項９に記載の画像表示方法。
【請求項１２】
複数の動画像を一覧表示する画像表示装置であって、
各動画像に含まれる複数のフレーム画像の各々の注目領域を抽出し、抽出された各フレームの注目領域の論理和を、該動画像の注目領域として決定する注目領域決定手段と、
前記注目領域決定手段により決定された各動画像の注目領域が露出して他の動画像と重なるように、該複数の動画像の各々の表示位置を決定する位置決定手段と、
前記位置決定手段で決定された表示位置に前記複数の動画像の各々を配置して一覧表示する表示制御手段と、を備えることを特徴とする画像表示装置。
【請求項１３】
複数の動画像を一覧表示する画像表示装置であって、
前記複数の動画像の各々が他の動画像の一部と重なった状態で一覧表示する表示制御手段と、
各動画像中の再生されるフレーム画像より注目領域を抽出する抽出手段と、
前記抽出手段で抽出された注目領域が他の動画像に重なるか否かを判定する判定手段と、
前記判定手段で注目領域が他の動画像に重なると判定された場合、該注目領域が露出するように前記一覧表示の状態を更新する更新手段と、を備えることを特徴とする画像表示装置。
【請求項１４】
請求項１乃至１１のいずれか１項に記載の画像表示方法をコンピュータに実行させるための制御プログラム。
【請求項１５】
請求項１４に記載の制御プログラムを格納したコンピュータ読み取り可能な記憶媒体。
【手続補正２】
【補正対象書類名】明細書
【補正対象項目名】００１０
【補正方法】変更
【補正の内容】
【００１０】
上記の目的を達成するための本発明による画像表示方法は、
複数の動画像を一覧表示する画像表示方法であって、
各動画像に含まれる複数のフレーム画像の各々の注目領域を抽出し、抽出された各フレームの注目領域の論理和を、該動画像の注目領域として決定する注目領域決定工程と、
前記注目領域決定工程により決定された各動画像の注目領域が露出して他の動画像と重なるように、該複数の動画像の各々の表示位置を決定する位置決定工程と、
前記位置決定工程で決定された表示位置に前記複数の動画像の各々を配置して一覧表示する表示制御工程と、を備える。
また、上記の目的を達成するための本発明の他の態様による画像表示方法は、
複数の動画像を一覧表示する画像表示方法であって、
前記複数の動画像の各々が他の動画像の一部と重なった状態で一覧表示する表示制御工程と、
各動画像中の再生されるフレーム画像より注目領域を抽出する抽出工程と、
前記抽出工程で抽出された注目領域が他の動画像に重なるか否かを判定する判定工程と、
前記判定工程で注目領域が他の動画像に重なると判定された場合、該注目領域が露出するように前記一覧表示の状態を更新する更新工程と、を備える。
【手続補正３】
【補正対象書類名】明細書
【補正対象項目名】００１１
【補正方法】変更
【補正の内容】
【００１１】
また、上記の目的を達成するための本発明による画像表示装置は以下の構成を備える。すなわち、
複数の動画像を一覧表示する画像表示装置であって、
各動画像に含まれる複数のフレーム画像の各々の注目領域を抽出し、抽出された各フレームの注目領域の論理和を、該動画像の注目領域として決定する注目領域決定手段と、
前記注目領域決定手段により決定された各動画像の注目領域が露出して他の動画像と重なるように、該複数の動画像の各々の表示位置を決定する位置決定手段と、
前記位置決定手段で決定された表示位置に前記複数の動画像の各々を配置して一覧表示する表示制御手段と、を備える。
また、上記の目的を達成するための本発明の他の態様による画像表示装置は、
複数の動画像を一覧表示する画像表示装置であって、
前記複数の動画像の各々が他の動画像の一部と重なった状態で一覧表示する表示制御手段と、
各動画像中の再生されるフレーム画像より注目領域を抽出する抽出手段と、
前記抽出手段で抽出された注目領域が他の動画像に重なるか否かを判定する判定手段と、
前記判定手段で注目領域が他の動画像に重なると判定された場合、該注目領域が露出するように前記一覧表示の状態を更新する更新手段と、を備える。